(57)【要約】【課題】  従来の起床補助具では、上体を起こすための歯車等を含む機械部分を起床補助具本体に直接取り付ける必要があるために、機械部分の突起物で病人の動きが制限されたり、介護作業の邪魔になっていた。【解決手段】  病床の周囲に機械等の突起物を用いない起床補助具を実現するために、エア−バッグの膨張力を病人の上体を起こす動力に利用し、背もたれ板を用いない時にエア−バッグの揺れで生ずる病人の上体の動揺を防止するために、主エア−バッグ前面の左右両側に凸状に突出する上体保持用エア−バッグを先に膨張させるので、病人の上体は安定した状態で起床できる。【選択図】        図１
2007037886.tif 000002
【特許請求の範囲】
【請求項１】
床に横たわる病人の上体を起こす動力として、エア−バッグの膨張力を直接又は間接的に利用した機構を特徴とする起床補助具。
【請求項２】
主エア−バッグの膨張力で上体を起こす起床補助具において、主エア−バッグ前面の中央部分を除く両側のそれぞれに、凸状に突出する上体保持用エア−バッグを設け、エア−バッグの膨張時に上体保持用エア−バッグから膨張を進行させ、エア−バッグ上に横たわる病人の上体を、横から保持する事を特徴とする起床補助具。
【請求項３】
エア−バッグの膨張力を、起床補助具の背もたれ板を介して病人の上体部分に加えることで、病人の上体を起こす機構を特徴とする起床補助具。
【発明の詳細な説明】
【技術分野】
【０００１】
本発明は、病人、身障者、寝たきり老人等、介護を必要とする人（以下単に、「病人」という。）の起床や就寝を補助するために、敷蒲団等やベット上に乗せて使用出来る起床補助具に関する。
【背景技術】
【０００２】
病人が、ベットから起きあがるのを補助するための装置としては、起倒可能な構造としてベットに装着された背もたれ板を、電動や手動で起倒可能にした起床補助具がある。
【０００３】
又、簡易型の起床補助具は、病人等の上体を支持する背もたれ板（金属等硬質材料の枠にシ−トを張った物）と、当該背もたれ板の一端に設けた回転支持軸によって接続された背もたれ板支持具と、背もたれ板と背もたれ板支持具間の角度保持具で構成され、背もたれ板を人力等で起倒させる器具がある。
【０００４】
【特許文献１】特開平１０−０５７１９３号公報
【発明の開示】
【発明が解決しようとする課題】
【０００５】
以上に述べた従来の起床補助具では、簡易型の起床補助具でも、背もたれ板を支持する背もたれ支持板とそれに接続する回転軸、並びに背もたれ板を起倒させるための機械的な装置が必要であるため、背もたれ支持板や回転軸、それに起倒装置が、病人の就寝姿勢の自由をなくしたり、介護をする人の作業の邪魔になったりする事もあり、装置の価格も高価で、問題を有していた。
【０００６】
本発明は、このような従来の起床補助具が有していた問題を解決しようとするものであり、病床になじまない歯車等で構成された機械を使用せず、柔らかな雰囲気の病床を保ちながら起床の補助を実現しようとするものである。
【課題を解決するための手段】
【０００７】
本発明は上記の目的を達成するために、床に上に重量の大きな機械を一切使用せず、エア−バッグ外嚢と、当該外嚢に収容するエア−バッグ内嚢から構成されるエア−バッグに空気を注入する空気パイプだけを病床に置いて、床と離して置いた送風機のスイッチ１６を操作する事でエア−バッグを膨張させて、病人の上体を起こす動作をするものである。
【０００８】
又、エア−バッグで病人の上体を起こす時、エア−バッグの膨張で病人の上体が不安定になるのを防止するために、病人の両脇の外側部分の上体保持用エア−バッグが先行して膨張し病人の上体を挟む機構とすることで、病人の上体の両脇を先に保持して、主エア−バッグの膨張で上体が起こされる時に病人の上体が横に揺れるのを防止するものである。
【発明の効果】
【０００９】
上述したように本発明の起床補助具は、通気性の外嚢と気密性の内嚢で構成した、主エア−バッグ並びに上体保持用エア−バッグ、更には膝下エア−バッグ等すべて軟質材料で構成しているので、柔らかいエア−バッグに空気を注入するだけで、起床の補助を行う事が出来るため、病人や看護をする人の行動に制限を加える物がなく、歯車や突起物のある機械の使用に比較して、病人やその回りの人を和らげる効果がある。
【００１０】
又、病床からはみ出す器具が殆どないので、和室の畳に敷かれた敷蒲団の上にも違和感なく使用できる効果がある。
【発明を実施するための最良の形態】
【００１１】
以下、本発明の実施形態を図１〜図５に基づいて説明する。
【００１２】
図において、１は主エア−バッグで、その膨張圧力で上体を起こす機能を果たすものであり、２は上体保持エア−バッグで、主エア−バッグ１の前部の左右にそれぞれ一個、左右で２個が固定されており、それの膨張によって病人４の上体が左右に動揺するのを防止する機能を果たすものであり、エア−バッグを膨張させるための、送風機７からの空気パイプ８は、左右の上体保持用エア−バッグ２に接続されており、先ず上体保持用エア−バッグ２に空気が圧入されると、その上体保持用エア−バッグ２と通気穴１１で連結されている主エア−バッグ１は、その上に乗った病人４の上体で加圧されているために上体保持用エア−バッグ２の膨張が先行して、上体の保持がなされた後に主エア−バツグ１が膨張して、病人の上体を起こす事になる。尚、上体保持用エア−バッグ２の膨張力を更に高めて、上体を強く保持した後に主エア−バッグ１を膨張させる必要があれば、通気穴１１に圧力調整弁を用いて、上体保持用エア−バッグ２が指定圧力に達した後に、主エア−バッグ１の加圧が始まる様に構成する事も可能である。
【００１３】
主エア−バッグ１の膨張で起床を補助する時に、病人が前に押し出されるのを止めるために、膝下エア−バッグ３を主エア−バッグ１の下端から伸びる接続シ−トと通気穴１１で結合して病人の膝下に設置したもので、病人の体が前にずれるのを防ぐストッパ−機能を果たすものである。
【００１４】
起床補助具の設置は、図２に示す様に、敷布団５の上で枕６の上に設置する事も可能である。
【００１５】
エア−バッグの膨張時の形態を保持するために、図４に示す様に、通気性で伸縮性がなく予め定めた形状を維持できる外嚢９と、その内部に気密性で伸縮性の内嚢１０を組み合わせてエア−バッグを構成している。又、主エア−バッグ１の膨張時の揺れを縮小する手段として、主エア−バッグ１の外嚢９内に納める内嚢１０を、相互に通気穴で連結した多数の隔壁を設けた構造、又は、多数の小エア−バッグを通気穴で連結し、且つ互いに結合させた構造として揺れの縮小を計る事もできる。
【００１６】
背もたれ板１２を利用する起床補助具の動力としてエア−バッグを利用する場合は、図５に示す様に、背もたれ板１２の下方の背もたれ板支持具１３に主エア−バッグ１の一部を固定して、主エア−バッグ１の膨張時に主エア−バック１の位置ずれを防止する手段を講じて、主エア−バッグ１を加圧して膨張させれば、主エア−バッグ１の膨張力で背もたれ板１２を起こし、病人の起床を補助できる。
【００１７】
尚、起床した病人の上体を再度寝せる時は、膨張したエア−バッグを収縮させる排気弁１５を操作して、エア−バッグ内の空気圧力をゆっくり下げれば、病人をゆるやかに寝かせる事ができる。
【図面の簡単な説明】
【００１８】
【図１】本発明の起床補助具で上体を起こした状態を示す側面図である。
【図２】本発明の起床補助具を体の下に設置した状態を示す側面図である。
【図３】本発明の起床用具の平面図である。
【図４】図３のＡーＡ断面図で、エア−バッグの内部を示す。
【図５】本発明のエア−バッグによる上体支持板上げを側面図で示す。
【符号の説明】
【００１９】
１  主エア−バッグ
２  上体保持用エア−バッグ
３  膝下エア−バッグ
４  人体
５  敷蒲団
６  枕
７  送風機
８  空気パイプ
９  外嚢
１０  内嚢  
１１  通気穴
１２  背もたれ板
１３  背もたれ板支持具
１４  背もたれ板回転軸          
１５  排気弁
１６  送風機のスイッチ
【図１】
2007037886.tif 000003
【図２】
2007037886.tif 000004
【図３】
2007037886.tif 000005
【図４】
2007037886.tif 000006
【図５】
2007037886.tif 000007